(57)【要約】【課題】低温時にも良好な表示品位を実現することができ、また、消費電流量の増加を抑えることができるようにする。【解決手段】温度域を２以上の動作温度域に分割する。また、各動作温度域ごとに、選択期間を定める。このとき、低温側の動作温度域ほど選択期間が長くなるように定める。そして、個々の動作温度域で、温度に応じて、カイラルネマチック液晶をプレーナ状態にするための電圧Ｖｄを定める。Ｖｄは、例えば、所望の表示品位を実現できる上限値と下限値の平均値として求める。温度に応じて定めた選択期間およびＶｄに基づいて、液晶表示装置を駆動する。【選択図】  図８
2004309732.tif 000002
【特許請求の範囲】
【請求項１】
複数の行電極と複数の列電極との間に少なくとも２つの安定状態を呈するカイラルネマチック液晶が挟持された液晶表示装置を線順次駆動で駆動する際に、信号電極に信号電圧を印加し、行電極の選択時に行電極に選択電圧を印加することによって、選択画素に電圧選択パルスを印加し、各選択画素をプレーナ状態にした後に、所定の表示状態に対応する電圧を印加する液晶表示装置の駆動方法であって、
動作温度域を少なくとも２以上設け、
それぞれの動作温度域のなかで、電圧選択パルスの選択期間と、カイラルネマチック液晶をプレーナ状態にするための電圧とを定め、
低温側の動作温度域の電圧選択パルスの選択期間を、高温側の動作温度域の電圧選択パルスの選択期間よりも長くする
ことを特徴とする液晶表示装置の駆動方法。
【請求項２】
各動作温度域のなかで所定の表示品位を実現可能な、カイラルネマチック液晶をプレーナ状態にするための電圧の電圧上限値と電圧下限値とを温度に応じた値として予め見い出し、液晶表示装置の周囲の温度に応じて、カイラルネマチック液晶をプレーナ状態にするための電圧を電圧下限値から電圧上限値までの範囲内の値として定める請求項１に記載の液晶表示装置の駆動方法。
【請求項３】
液晶表示装置の周囲の温度に応じた電圧上限値と電圧下限値の平均値をＡ（Ｖ）とし、電圧上限値と電圧下限値との差の２０％の電圧をＢ（Ｖ）とした場合に、カイラルネマチック液晶をプレーナ状態にするための電圧をＡ−Ｂ（Ｖ）からＡ＋Ｂ（Ｖ）までの範囲内の値として定める請求項２に記載の液晶表示装置の駆動方法。
【請求項４】
動作温度域のなかで最高の動作温度域における選択期間をＴＨ（ｍｓ）とし、最低の動作温度域における選択期間をＴＬ（ｍｓ）としたときに、ＴＬ／ＴＨ≧４が成立するようにＴＨおよびＴＬを定める請求項１，２または３に記載の液晶表示装置の駆動方法。
【請求項５】
動作温度域の境界となる境界温度が５〜１５℃の範囲内にある請求項１，２，３または４に記載の液晶表示装置の駆動方法。
【請求項６】
動作温度域のなかで最高の動作温度域における選択期間を１０ｍｓ以内とする請求項１，２，３，４または５に記載の液晶表示装置の駆動方法。
【請求項７】
少なくとも２０〜５０℃の温度域を一つの動作温度域内に収める請求項１，２，３，４，５または６に記載の液晶表示装置の駆動方法。
【請求項８】
２層に積層された２つの液晶表示装置であって、各層のカイラルネマチック液晶がプレーナ状態で呈する色が補色関係にあり、各層のカイラルネマチック液晶がプレーナ状態になったときに白色を呈する液晶表示装置を駆動する請求項１，２，３，４，５，６または７に記載の液晶表示装置の駆動方法。
【請求項９】
電子棚札用液晶表示装置、広告用液晶表示装置または公衆表示用液晶表示装置を駆動する請求項１，２，３，４，５，６，７または８に記載の液晶表示装置の駆動方法。
【発明の詳細な説明】
【０００１】
【発明の属する技術分野】
本発明は、カイラルネマチック液晶を備える液晶表示装置の駆動方法に関する。
【０００２】
【従来の技術】
現在、ＴＮ、ＳＴＮ、ＴＦＴ液晶表示素子が広く使用されている。これらの液晶表示素子は、所定の駆動を常時行って表示を行う。これに対し、メモリ性の動作モードを有するカイラルネマチック液晶等のメモリ性液晶が注目され、それを備えた液晶表示装置の実用化が検討されている。
【０００３】
一対の平行基板間に挟持されたメモリ性液晶は、その液晶ディレクタが一定周期でねじれた「ねじれ構造」を有する。そのねじれの中心軸（以下、ヘリカル軸という。）が基板に対して平均的に垂直方向になる配列が存在する。
【０００４】
複数の液晶ドメインの各ヘリカル軸の平均的な方向が基板面に対してほぼ垂直となる状態をプレーナ状態という。プレーナ状態では、入射光のうちの、液晶層のねじれの向きに対応した円偏光を選択反射する。選択反射される波長λは、液晶組成物の平均屈折率ｎＡＶＧと液晶組成物のピッチｐの積にほぼ等しい（λ＝ｎＡＶＧ・ｐ）。
【０００５】
ピッチｐは、カイラル剤等の光学活性物質の添加量ｃと光学活性物質の定数ＨＴＰ（Ｈｅｌｉｃａｌ  Ｔｗｉｓｔｉｎｇ  Ｐｏｗｅｒ）から、ｐ＝１／（ｃ・ＨＴＰ）によって決まる。したがって、選択反射波長は、光学活性物質の種類と添加量によって調整できる。メモリ性液晶の選択反射波長を可視域外となるようにピッチを設定すれば、選択反射時に目視では透明になり透過散乱の動作モードを呈する。
【０００６】
選択反射を呈するプレーナ状態に対して、複数の液晶ドメインのヘリカル軸が基板面に対してランダム方向または非垂直方向に配列したフォーカルコニック状態をとることもできる。一般的に、フォーカルコニック状態の液晶層は全体として弱い散乱状態を示す。選択反射時のように特定の波長の光を反射することはない。また、フォーカルコニック状態およびプレーナ状態は、無電界時でも安定に存在する。図２１（ａ）はプレーナ状態、図２１（ｂ）はフォーカルコニック状態の模式図であり、鼓型で示す液晶ドメインの配列状態を示す。
【０００７】
図２１（ｂ）のフォーカルコニック状態のときに、裏面側に吸収層を設けることよって吸収層の色の表示が得られる。したがって、明状態であるプレーナ状態と、暗状態（吸収層が黒の場合）であるフォーカルコニック状態の２状態を利用したメモリ型の表示動作を実現できる。
【０００８】
次に、液晶表示装置の駆動法について説明をする。カイラルネマチック液晶を備える液晶表示装置を駆動する場合、駆動電圧の振幅の大きさによって、プレーナ状態をフォーカルコニック状態に、またフォーカルコニック状態をプレーナ状態にそれぞれ変化させる。後者の場合は、液晶分子が電圧印加方向にほぼ平行になるホメオトロピック状態を経由して起こすので、最も高い電圧が必要とされる。
【０００９】
メモリ性液晶では、一連の印加電圧波形の実効値が直接電圧消去後の状態を決定するのではなく、電圧消去後の表示は、直前に印加された電圧パルスの印加時間および振幅値に依存する。
【００１０】
次に、液晶表示装置におけるマトリクス表示について説明する。フォーカルコニック状態に転移させる電圧をＶＦとし、プレーナ状態に転移させる下限電圧をＶＰとし、電圧を印加しても表示状態が変わらない上限電圧をＶＳとする。
【００１１】
線順次駆動を行う場合、行電極に電圧振幅Ｖｒの電圧パルスを入力し、それに同期して列電極には電圧振幅Ｖｃの電圧パルス（選択パルス）を入力する。各行電極に対して１度ずつ選択パルスを入力して、１表示シーケンスを完了する。表示シーケンスにおいて、オン表示が選択された場合には表示画素に（Ｖｒ＋Ｖｃ）の電圧振幅が１度だけ入力され、オン表示の非選択期間では電圧Ｖｃが印加される。また、オフ表示が選択された場合には表示画素に（Ｖｒ−Ｖｃ）の電圧振幅が１度だけ入力され、オフ表示の非選択期間では電圧Ｖｃが印加される。オン時にはプレーナ状態が選択され、オフ時にはフォーカルコニック状態が選択されるとすると、それぞれの条件は以下の通りである。
【００１２】
Ｖｒ＋Ｖｃ＞ＶＰ、Ｖｒ−Ｖｃ＝ＶＦ
【００１３】
さらに、書き込まれた状態が変化しないように、Ｖｃ＜ＶＳでなければならない。以上のように印加電圧の制御を行えばマトリクス表示が可能になる。
【００１４】
液晶表示装置では走査電極数が増加しても、表示データが書き込まれた状態での表示品位は悪化しない。また、電極数が増加しても駆動電圧は増大しない。
【００１５】
また、カイラルネマチック液晶を有する液晶表示装置における表示が、残像を残さない良好な表示になるような駆動方法も提案されている（例えば、特許文献１）。特許文献１では、カイラルネマチック液晶をプレーナ状態にした後に、所望の画像を書き込む駆動方法が開示されている。また、本出願人は、カイラルネマチック液晶をプレーナ状態にした後に所望の画像を書き込む駆動方法を特願２００１−２９０２６３号としても出願している。
【００１６】
また、カイラルネマチック液晶を有する液晶表示装置を積層して４色以上の多色表示を実現する技術が特許文献２で開示されている。特許文献２では、図２２に示すようなＣ．Ｉ．Ｅ．１９３１色度座標を用いて液晶表示装置を設計する手法が紹介されている。さらに、カイラルネマチック液晶を有する液晶表示装置を電子棚札として使用可能であることが特許文献３で示されている。
【００１７】
【特許文献１】
欧州特許出願公開第１２９６３１１号明細書
【００１８】
【特許文献２】
欧州特許出願公開第１２９８６３５号明細書
【００１９】
【特許文献３】
欧州特許出願公開第１２９８６３１号明細書
【００２０】
【発明が解決しようとする課題】
カイラルネマチック液晶を有する液晶表示装置で所望の表示品位を実現しようとする場合、Ｖｒ＋Ｖｃ（この和を以下、Ｖｄと記す。）の電圧値は、ある上限値と下限値の間に収まっている必要がある。ここで、所望の表示品位とは、例えば、以下の二つの条件を同時に満たすような表示品位である。第一の条件は、吸収層の色と選択反射を呈する際の色とのコントラストが良好であることである。第二の条件は、補色関係にある色を表示する他の液晶層と重ね合わせた場合、選択反射時に白色を呈することである。この表示品位を満足するようなＶｄの上限値および下限値は、温度によって変化し、上限値および下限値は、温度低下とともに上昇する。
【００２１】
また、電源の供給電圧を昇圧し、昇圧後の電圧を用いて、各電極にＶｒ，Ｖｃ等の電圧振幅を入力する。しかし、昇圧できる幅には限界がある。従って、所望の表示品位を実現するためには、温度が低くなるほど液晶に印加する電圧Ｖｄを高くしなければならないが、液晶に電圧Ｖｄを印加するための電圧振幅を電極に入力できなくなる場合が生じる。この結果、低温時には、所望の表示品位が得られないという問題が生じる。
【００２２】
また、選択期間を長く設定すれば、Ｖｄを高くしなくても表示品位を維持することができる。しかし、選択期間を長くすると、電圧印加時間が長くなるので、消費電流量が増加してしまう。
【００２３】
本発明者は、１９．０５ｃｍ（７．５インチ）のＶＧＡ（Ｖｉｄｅｏ  Ｇｒａｐｈｉｃｓ  Ａｒｒａｙ）２層パネルを駆動して消費電流量を計測した。この２層パネルのセルギャップは４．０μｍであった。駆動時には、Ｖｒ／Ｖｃ＝８となる電圧振幅Ｖｒ，Ｖｃを用いて駆動した。また、駆動時の温度は２５℃であった。
【００２４】
このような条件の下で、選択行の画素全てに対し電圧Ｖｄを印加するようにして２回の走査を行い、その後所望の表示に応じた電圧を印加するようにして２回の走査を行った。選択期間を１０ｍｓ、Ｖｄ＝２３Ｖとした場合の消費電流量は２３１．９ｍＡｓであった。選択期間を２０ｍｓ、Ｖｄ＝２１Ｖとした場合の消費電流量は、３９１．７ｍＡｓであった。選択期間を５０ｍｓ、Ｖｄ＝１９Ｖとした場合の消費電流量は、８５１．４ｍＡｓであった。このように、選択期間を長くするとＶｄを低く抑えることができるが、消費電流量が増加してしまう。特に、選択期間を５０ｍｓとした場合の消費電流量は、選択期間を１０ｍｓとした場合の３倍以上となった。
【００２５】
そこで、本発明は、低温時にも良好な表示品位を実現することができ、また、消費電流量の増加を抑えることができる液晶表示装置の駆動方法を提供することを目的とする。
【００２６】
【課題を解決するための手段】
本発明の態様１は、複数の行電極と複数の列電極との間に少なくとも２つの安定状態を呈するカイラルネマチック液晶が挟持された液晶表示装置を線順次駆動で駆動する際に、信号電極に信号電圧を印加し、行電極の選択時に行電極に選択電圧を印加することによって、選択画素に電圧選択パルスを印加し、各選択画素をプレーナ状態にした後に、所定の表示状態に対応する電圧を印加する液晶表示装置の駆動方法であって、動作温度域を少なくとも２以上設け、それぞれの動作温度域のなかで、電圧選択パルスの選択期間と、カイラルネマチック液晶をプレーナ状態にするための電圧である電圧とを定め、低温側の動作温度域の電圧選択パルスの選択期間を、高温側の動作温度域の電圧選択パルスの選択期間よりも長くすることを特徴とする液晶表示装置の駆動方法を提供する。
【００２７】
本発明の態様２は、態様１において、各動作温度域のなかで所定の表示品位を実現可能な、カイラルネマチック液晶をプレーナ状態にするための電圧の電圧上限値と電圧下限値とを温度に応じた値として予め見い出し、液晶表示装置の周囲の温度に応じて、カイラルネマチック液晶をプレーナ状態にするための電圧を電圧下限値から電圧上限値までの範囲内の値として定める液晶表示装置の駆動方法を提供する。そのような方法によれば、カイラルネマチック液晶をプレーナ状態にするための電圧を温度に応じて定めることができる。
【００２８】
本発明の態様３は、態様２において、液晶表示装置の周囲の温度に応じた電圧上限値と電圧下限値の平均値をＡ（Ｖ）とし、電圧上限値と電圧下限値との差の２０％の電圧をＢ（Ｖ）とした場合に、カイラルネマチック液晶をプレーナ状態にするための電圧をＡ−Ｂ（Ｖ）からＡ＋Ｂ（Ｖ）までの範囲内の値として定める液晶表示装置の駆動方法を提供する。そのような方法によれば、温度検知の誤差や温度変化の検知の多少の遅れが生じてしまったとしても、液晶をプレーナ状態にするための電圧が、温度変化後における下限値より小さくなってしまったり、上限値より大きくなってしまうことを防止できる。
【００２９】
本発明の態様４は、態様１から態様３のいずれかにおいて、動作温度域のなかで最高の動作温度域における選択期間をＴＨ（ｍｓ）とし、最低の動作温度域における選択期間をＴＬ（ｍｓ）としたときに、ＴＬ／ＴＨ≧４が成立するようにＴＨおよびＴＬを定める液晶表示装置の駆動方法を提供する。
【００３０】
本発明の態様５は、態様１から態様４のいずれかにおいて、動作温度域の境界となる境界温度が５〜１５℃の範囲内にある液晶表示装置の駆動方法を提供する。
【００３１】
本発明の態様６は、態様１から態様５のいずれかにおいて、動作温度域のなかで最高の動作温度域における選択期間を１０ｍｓ以内とする液晶表示装置の駆動方法を提供する。
【００３２】
本発明の態様７は、態様１から態様６のいずれかにおいて、少なくとも２０〜５０℃の温度域を一つの動作温度域内に収める液晶表示装置の駆動方法を提供する。
【００３３】
本発明の態様８は、態様１から態様７のいずれかにおいて、２層に積層された２つの液晶表示装置であって、各層のカイラルネマチック液晶がプレーナ状態で呈する色が補色関係にあり、各層のカイラルネマチック液晶がプレーナ状態になったときに白色を呈する液晶表示装置を駆動する液晶表示装置の駆動方法を提供する。
【００３４】
本発明の態様９は、態様１から態様８のいずれかにおいて、電子棚札用液晶表示装置、広告用液晶表示装置または公衆表示用液晶表示装置を駆動する液晶表示装置の駆動方法を提供する。
【００３５】
【発明の実施の形態】
図１に本発明の液晶表示装置の模式的断面図を示す。図１に示す液晶表示装置は、ガラス基板１Ａ、１Ｂ、電極２Ａ、２Ｂ、高分子薄膜３Ａ、３Ｂ、液晶組成物（メモリ性液晶）４、および裏面側に黒色の光吸収体５が配置され、フォーカルコニック状態とプレーナ状態を安定に表示する液晶パネルである。電極２Ａ、２Ｂの一方は行電極であり、他方は列電極である。以下の説明では、電極２Ａが列電極であり、電極２Ｂが行電極であるとする。
【００３６】
高分子薄膜３Ａ、３Ｂの代わりにシリカなどの無機薄膜を形成してもよい。しかし、メモリ性液晶に接する薄膜の表面をラビング処理すると、薄膜の種類によってはメモリ性液晶のフォーカルコニック状態の安定性が失われてしまうことがある。よって、ラビング無しの薄膜を設けるか、または、電極と液晶組成物が直接接するように設ける。
【００３７】
電極間間隙はスペーサー等で保持し、２〜１５μｍが好ましい。さらには、３〜６μｍが好ましい。電極間隙が小さすぎると表示のコントラスト比が低下し、大きすぎると駆動電圧が上昇するからである。
【００３８】
表示の態様は、例えば、ドットマトリックス表示である。コモン電極を走査する表示態様であれば、セグメント表示などの非フルドットマトリックス表示であってもよい。基板は、ガラス基板でも樹脂基板でもよく、また、ガラス基板と樹脂基板の組み合わせでもよい。反射表示素子として用いる場合には、どちらか一方の基板の内面または外面に光吸収体を設置するか、または、基板として光吸収機能を有するものを用いてもよい。
【００３９】
電極面内に微量のスペーサーを散布し、対向させた基板の四辺を注入孔を除いてエポキシ樹脂等のシール材で封止し、真空注入によって液晶組成物をセルに満たす。
【００４０】
図２は、液晶パネル（液晶表示装置）を駆動する駆動装置の構成例を示すブロック図である。制御装置１１は、行ドライバ１２に行電極への電圧パルス入力を指示し、列ドライバ１３に列電極への電圧パルス入力を指示する。電源装置１４は、行ドライバ１２および列ドライバ１３に必要な電圧を供給する。行ドライバ１２および列ドライバ１３は、制御装置１１の指示に従い、行電極２Ｂおよび列電極２Ａに電圧パルスを入力する。制御装置１１は、各電極の電位を切り替えて、メモリ性液晶４をプレーナ状態やフォーカルコニック状態に移行させる。以下、プレーナ状態の表示をオン表示、フォーカルコニック状態の表示をオフ表示と記す。
【００４１】
なお、制御装置１２は、先頭行からの走査開始を指示する信号（ＦＲと記す。）を行ドライバ１２に出力し、行ドライバ１２は、ＦＲ入力後、第一行から走査を開始する。また、制御部１２は、選択行切り替えを指示するラッチパルス（ＬＰと記す。）を行ドライバ１２，列ドライバ１３に出力し、各ドライバはＬＰが入力される度に選択行を切り替えて、走査を行う。また、制御部１２は、液晶に電圧を印加する際、行電極電位と列電極電位のどちらの電位を高くすべきかを指示する信号（Ｍと記す。）を行ドライバ１２，列ドライバ１３に出力し、各ドライバはＭに応じた極性で液晶に電圧を印加する。
【００４２】
また、制御装置１２は、選択期間内に１画素分のデータ取得を指示する信号（ＣＰと記す。）を列電極数だけ列ドライバ１３に出力し、列ドライバ１３に１行分のデータ（ＤＡＴＡ）を取得させる。
【００４３】
さらに、制御信号１２は、液晶表示装置の表示を切り替えない場合、行ドライバ１２と列ドライバ１３に、それぞれ／ＤＯＦＦ（ディスプレイオフ信号）１、／ＤＯＦＦ２をハイレベルにして出力する。各ドライバは、／ＤＯＦＦ１、／ＤＯＦＦ２がハイレベルの場合、各行電極および各列電極の電位を例えば０Ｖとし、液晶への電圧印加を停止する。
【００４４】
温度センサ８１は、液晶パネル１００の近傍に設けられ、液晶パネル１００の周囲の温度を検出し、その温度を制御部１２に通知する。記憶装置４０は、温度に応じた選択期間を記憶する。また、選択行に入力される電圧振幅Ｖｒと、各列電極に入力される電圧振幅Ｖｃとを、温度に応じて記憶する。制御部１１は、温度センサ８１から通知される温度に応じたＶｃおよびＶｒを記憶装置４０から読み出す。そして、行電極や列電極に供給すべき電圧Ｖｒ、Ｖｃを指示する電圧レベル指示信号を電源装置１４に出力する。電源装置１４は、指示された電圧Ｖｒを行ドライバ１２に供給し、指示された電圧Ｖｃを列ドライバ１２に供給する。また、制御部１１は、温度センサ８１から通知される温度に応じた選択期間を記憶装置４０から読み出し、その選択期間毎に選択行を切り替える。
【００４５】
ＭＰＵ２０は、制御装置１１に、表示の書き換えを指示する信号（ＳＴＡＲＴ信号と記す。）を出力する。制御装置１１は、ＳＴＡＲＴ信号が入力されると、液晶パネル１００内のカイラルネマチック液晶をプレーナ状態に変化させ、その後、表示データに応じた電圧を印加して表示を書き込む。なお、ＭＰＵ２０を設けなくてもよい。この場合、カイラルネマチック液晶をプレーナ状態に変化させ、その後、表示データに応じた電圧を印加して表示を書き込む制御を制御部１１が定期的に実行してもよい。
【００４６】
次に、液晶パネル１００の表示を書き換えるときの動作について説明する。ただし、制御部１１は、記憶装置４０から、温度に応じた選択期間、ＶｒおよびＶｃを読み込み、その電圧を指示する電圧レベル指示信号を電源装置１４に出力しているものとする。まず、液晶駆動装置は、行電極２Ｂを１本ずつ選択しながら線順次走査し、各画素に配置されたメモリ性液晶４をプレーナ状態に移行させるための電圧（オン表示とするための電圧）を印加する。この電圧が印加されるとメモリ性液晶４はホメオトロピック状態になる。そして、電圧印加が終了するとメモリ性液晶４はプレーナ状態に移行し、オン表示となる。行電極２Ｂを走査しながら全画素をオン表示にするので、これまで表示されていた画面が消去される。液晶駆動装置は、全ての行電極２Ｂを一本ずつ選択する行電極２Ｂの走査を少なくとも１回行い、画面全体をオン表示にする。
【００４７】
オン表示とするための走査を複数回行う場合には、各走査毎に印加電圧の極性を逆転させる。すなわち、各走査毎にコモン電極の電位とセグメント電極の電位の高低関係を逆転させる。例えば、１回目の走査では、選択した行電極２Ｂの電位を各列電極２Ａの電位よりも高く設定することによってメモリ性液晶４に電圧を印加したとする。このとき２回目の走査では、選択した行電極２Ｂの電位を各列電極２Ａの電位よりも低く設定することによって電圧を印加する。
【００４８】
画面全体をオン表示とした後に、液晶駆動装置は、行電極２Ｂを線順次走査して、表示データに対応する電圧を印加する。この電圧を印加するときには、各行電極２Ｂを選択してメモリ性液晶４に電圧を印加する時間内で極性を逆転させながら電圧を印加する。すなわち、行電極２Ｂの電位と列電極２Ａの電位の高低関係を少なくとも１回逆転させて電圧を印加する。画面全体をオン表示とする走査を行う場合では、各走査毎に極性を逆転させるが、表示データに対応する電圧を印加するときには、各行電極２Ｂの選択期間内で極性を逆転させる。
【００４９】
表示データに対応する電圧を印加することで所望の表示が書き込まれ、表示の書き換えが完了する。液晶駆動装置は、行電極２Ｂの走査を少なくとも１回行って、表示データを書き込む。
【００５０】
図３は、表示書換時の駆動波形の例を示す説明図である。図３は、画面全体をオン表示とするための走査と、表示データを書き込むための走査をそれぞれ２回ずつ行ったときの例を示す。時間Ｔｐ１，Ｔｐ２は、それぞれオン表示とするための１回目の走査時間と２回目の走査時間を示す。同様に、時間Ｔｄ１，Ｔｄ２は表示データを書き込むための１回目の走査時間と２回目の走査時間を示す。
【００５１】
図３（ａ）は一つの行電極２Ｂに印加される駆動波形の例であり、図３（ｂ）は一つの列電極２Ａに印加される駆動波形の例である。図３（ａ），（ｂ）に示すように、行ドライバ１２は選択された行電極２Ｂに電圧振幅Ｖｒの電圧パルスを入力する。列ドライバ１３は、列電極２Ａに電圧振幅Ｖｃの電圧パルスを入力する。図３（ｃ）は、図３（ａ），（ｂ）に示す電圧パルスが入力されたときにメモリ性液晶４に印加される電圧の波形を示す。図３（ｃ）では、行電極２Ｂの電位が列電極２Ａの電位よりも高く設定された場合の電圧を正として示し、行電極２Ｂの電位が列電極２Ａの電位よりも低く設定された場合の電圧を負として示している。
【００５２】
時間Ｔｐ１において、行ドライバ１２は、選択された行電極２Ｂの電位をＶｒに設定し、選択されていない行電極の電位を０とする。また、列ドライバ１３は、時間Ｔｐ１の間、全ての列電極２Ａの電位を−Ｖｃに設定する。この結果、図３（ｃ）に示すように、選択された行の画素のメモリ性液晶４には、電圧Ｖｒ＋Ｖｃが印加され、電圧印加終了後、その画素はオン表示へ移行する。また、選択されていない行の画素のメモリ性液晶４には電圧Ｖｃが印加される。電圧Ｖｃが印加されても、画素の表示状態は変化しない。
【００５３】
時間Ｔｐ２では、電圧の極性を反転させて、メモリ性液晶４に−（Ｖｒ＋Ｖｃ）の電圧を印加する。行ドライバ１２は、選択された行電極２Ｂの電位を−Ｖｒに設定し、選択されていない行電極の電位を０とする。また、列ドライバ１３は、時間Ｔｐ２の間、全ての列電極２Ａの電位をＶｃに設定する。このように２回目の走査では、１回目の走査（時間Ｔｐ１での走査）における行電極２Ｂおよび列電極２Ａの電位の高低関係を逆転させる。選択された行の画素のメモリ性液晶４には、−（Ｖｒ＋Ｖｃ）の電圧が印加され、電圧印加終了後、画素はオン表示へ移行する。選択されていない行の画素のメモリ性液晶４には−Ｖｃの電圧が印加されるが、画素の表示状態は変化しない。
【００５４】
図４は、表示書換時の画面変化の例を示す説明図である。最初に図４（ａ）に示す画面が表示されていたとする。時間Ｔｐ１において、オン表示とするための１回目の走査を行うと、全画素がオン表示に移行し、図４（ｂ）に示すように、表示が消え始める。時間Ｔｐ２において、２回目の走査を行うとさらに表示が消え、図４（ｃ）に示すように残像が消える。
【００５５】
時間Ｔｄ１において、行ドライバ１２は、選択された行電極２Ｂの電位をＶｒおよび−Ｖｒに交互に設定し、選択されていない行電極の電位を０とする。ここでは、選択期間においてＶｒ，−Ｖｒの順に電位を設定するものとする。列ドライバ１３は、各列電極２Ａを、選択された行の表示データに応じて、Ｖｃおよび−Ｖｒに交互に設定する。オン表示を書き込む列電極では−Ｖｃ，Ｖｃの順に電位を設定し、オフ表示を書き込む列電極ではＶｃ，−Ｖｃの順に設定する。この結果、オン表示を書き込む画素のメモリ性液晶４には、Ｖｒ＋Ｖｃ，−（Ｖｒ＋Ｖｃ）の電圧が交互に印加され、オフ表示を書き込む画素のメモリ性液晶４には、Ｖｒ−Ｖｃ、−Ｖｒ＋Ｖｃの電圧が交互に印加される。そして、各画素は、オン表示またはオフ表示に移行する。各行電極２Ｂが走査されることにより所望の表示に書き換えられる。
【００５６】
なお、選択されていない行の画素のメモリ性液晶４には電圧Ｖｃ，−Ｖｃが交互に印加される。電圧Ｖｃ，−Ｖｃが印加されても、画素の表示状態は変化しない。行ドライバ１２および列ドライバ１３は、時間Ｔｄ２における走査でも、同様に電圧を印加する。
【００５７】
図３では、時間Ｔｄ１，Ｔｄ２において、オン表示を書き込む画素にＶｒ＋Ｖｃ，−（Ｖｒ＋Ｖｃ）の電圧を交互に印加する場合を示した。
【００５８】
時間Ｔｐ２における走査の後、時間Ｔｄ１において表示データを書き込むための走査を行うと、図４（ｄ）に示すように所望の表示が書き込まれる。時間Ｔｄ２において、表示データを書き込むための２回目の走査を行うと、図４（ｅ）に示すように表示データの書き込みが完了する。
【００５９】
ここでは、オン表示とするための走査と、表示データを書き込むための走査を２回ずつ行う場合を示したが、各走査回数は２回でなくてもよい。
【００６０】
また、ここでは、画面全体をオン表示とする際、各走査毎に、選択された行電極２Ｂと各列電極２Ａの電位の高低関係を逆転させる場合を示した。このような極性の反転を各走査毎に行わなくてもよい。また、表示データを書き込む場合、選択期間内で、選択された行電極２Ｂと各列電極２Ａの電位の高低関係を逆転させる場合を示したが、選択期間内でこのような極性の反転を行わなくてもよい。
【００６１】
また、画面全体をオン表示とした後に、画面全体をオフ表示にしてから表示データを書き込んでもよい。
【００６２】
次に、記憶装置４０が記憶する選択期間、ＶｒおよびＶｃについて説明する。駅長パネル１００が動作する温度範囲は、予め２以上の範囲に分割される。この分割された温度範囲を、動作温度域と記す。ここでは、０〜１０℃（ただし、１０℃未満）、１０〜１５℃（ただし１５℃未満）および１５〜５０℃という３つの動作温度域を定めた場合を例に説明する。記憶装置４０は、この各動作温度域毎と選択期間とを対応させて記憶する。例えば、０〜１０℃の動作温度域に対応させて５０ｍｓという選択期間を記憶する。同様に、１０〜１５℃の動作温度域と対応させて２０ｍｓという選択期間を記憶する。また、１５〜５０℃の動作温度域と対応させて１０ｍｓという選択期間を記憶する。選択期間と動作温度域とは、動作温度域が低くなるほど、選択期間が長くなるように対応付けられる。
【００６３】
さらに、記憶装置４０は、動作温度域をさらに分割した一定温度幅毎に、選択行の行電極に入力するべき電圧振幅Ｖｒと、各列電極に入力するべき電圧振幅Ｖｃとを記憶する。例えば、０〜１０℃の動作温度域において、１℃毎にＶｒおよびＶｃを記憶する。同様に、他の動作温度域でも、１℃毎にＶｒおよびＶｃを記憶する。
【００６４】
記憶装置４０に記憶させる動作温度域と選択期間との対応関係は、以下のように定める。まず、選択期間を定める。そして、その選択期間で所定の表示品位を実現することができるＶｄ（＝Ｖｒ＋Ｖｃ）の下限値および上限値を一定の温度毎（例えば、１℃毎）に見いだす。
【００６５】
本例では、所定の表示品位とは、以下の二つの条件を満たす表示品位であるものとする。第一の条件は、光吸収体５による黒色と選択反射時の色（例えば、橙色）とのコントラストが良好であることである。第二の条件は、補色関係にある色を表示する他の液晶層と重ね合わせた場合、選択反射時に白色を呈することである。例えば、表示パネル１００内の液晶が選択反射時に橙色を呈するとする。この場合、表示パネル１００と青色の選択反射を呈する他の液晶パネル（図２において図示せず。）とを重ねたときに、表示パネル１００の液晶の選択反射によって白色を呈するように表示パネル１００を駆動できることが第二の条件となる。
【００６６】
図５は、選択期間を１０ｍｓとしたときにおける所望の表示品位を実現するためのＶｄの上限値と下限値の例を示す説明図である。ただし、ここでは選択反射時に橙色を呈するカイラルネマチック液晶（選択反射波長：６２０ｎｍ）を用いた場合の例を示す。図５に示す破線は、Ｖｄの上限値および下限値を示す。また、実線は、上限値と下限値の平均値を示す。例えば、４０℃において、所定の表示品位を実現するためのＶｄの上限値および下限値は、それぞれ２１Ｖ、１８Ｖである。その平均値２０Ｖは実線上に表される。図５に示すように、低温になるほど、上限値、下限値は上昇していく。しかし、電源装置１４が供給できる電圧（昇圧後の電圧）にも上限がある。この上限が、例えば３０Ｖであるとする。この場合、Ｖｄの上限値および下限値が３０Ｖに達する前の温度で、温度域を分割し、一つの動作温度域とする。ここでは、１５〜５０℃の範囲を一つの動作温度域とし、その動作温度域と１０ｍｓという選択期間とを対応づける。記憶装置４０は、この動作温度域と選択期間との対応関係を予め記憶する。
【００６７】
また、この動作温度域内で、例えば１℃毎に、Ｖｄを定める。例えば、上限値と下限値の平均値をＶｄとする。そして、Ｖｒ＋Ｖｃ＝Ｖｄや、既に説明したＶｒ−Ｖｃ＝ＶＦ、Ｖｃ＜ＶＳという条件を満たす値として、Ｖｒ、Ｖｃを定める。記憶装置４０は、温度毎に定めたＶｒ、Ｖｃを記憶する。
【００６８】
なお、ここでは、Ｖｄを、上限値と下限値の平均値として定める場合を例に示したが、Ｖｄは上限値と下限値の平均値でなくてもよい。上限値と下限値の平均値をＡ（Ｖ）とし、上限値と下限値の差分の２０％の電圧値をＢ（Ｖ）とする。このとき、Ａ−Ｂ（Ｖ）からＡ＋Ｂ（Ｖ）までの範囲内の値としてＶｄを定めてもよい。
【００６９】
同様に、１５℃未満の温度域でも、選択期間と動作温度域との対応関係を定める。動作温度域が低くなるほど、選択期間が長くなるように選択期間と動作温度域とを対応付けるので、例えば、選択期間を２０ｍｓ（＞１０ｍｓ）と定める。この場合、Ｖｄの上限値および下限値は、図６に示すようになる。この上限値および下限値が３０Ｖに達する前の温度で、温度域を分割し、例えば１０〜１５℃の温度域を一つの動作温度域とする。この動作温度域内でも、例えば１℃毎にＶｄを定め、さらにＶｒおよびＶｃを定める。１０℃未満の温度域でも、同様に選択期間、動作温度域を定め、また、Ｖｄを定める。ここでは、選択期間を５０ｍｓ（＞２０ｍｓ）とする場合を例示する。そして、ＶｒおよびＶｃを定める。図７に、選択期間５０ｍｓにおける上限値、下限値およびＶｄの例を示す。図７に示すように、０〜１０℃の温度域では、上限値および下限値は３０Ｖに達していないので、０〜１０℃を一つの動作温度域と定めることができる。
【００７０】
図８は、例示した３つの動作温度域におけるＶｄの変化を示す説明図である。なお、図８では、便宜上Ｖｄの変化を連続する曲線で示しているが、動作温度域の境界温度１０℃および１５℃でＶｄは不連続に変化する。また、図９に１℃毎に定めたＶｄの値と、選択期間の値の例を示す。記憶装置４０は、このようなＶｄから定められたＶｒ，Ｖｃの値を温度毎に記憶する。
【００７１】
また、ここで説明した選択期間等の値は、例示である。選択期間等の各値は、ここに示した値でなくてもよい。例えば、最も高温となる動作温度域における選択期間を１０ｍｓ以下の期間、あるいは１０ｍｓ以上の期間として定めてもよい。また、ここでは最も高温となる動作温度域を１５〜５０℃の範囲と定めたが、１５〜５０℃の範囲を包含する温度域を一つの動作温度域としてもよい。また、ここでは、３つの動作温度域を定める場合を例示したが、動作温度域は２つ以上であればよい。また、ここでは、１０℃および１５℃を動作温度域の境界温度とする場合を示したが、１０〜１５℃の範囲内に動作温度域の境界温度を定めてもよい。さらに、他の温度を境界温度としてもよい。
【００７２】
また、動作作温度域のなかで最高の動作温度域における選択期間をＴＨ（ｍｓ）とし、最低の動作温度域における選択期間をＴＬ（ｍｓ）としたときに、例えば、ＴＬ／ＴＨ≧４が成立するようにＴＨおよびＴＬを定めてもよい。本例では、最高の動作温度域における選択期間ＴＨは１０ｍｓであり、最低の動作温度域における選択期間ＴＬは５０ｍｓである。従って、ＴＬ／ＴＨ＝５であり、ＴＬ／ＴＨ≧４が成立している。
【００７３】
図５から図９では、選択反射時に橙色を呈するカイラルネマチック液晶を用いる場合のグラフや表の例を示した。液晶の種類等によって、これらのグラフ等は変化する。例えば、選択反射時に青色を呈するカイラルネマチック液晶（選択反射波長：４９０ｎｍ）を用いたとする。そして、３種類の選択期間１０ｍｓ、２０ｍｓおよび５０ｍｓを定め、それぞれに対応させて１５〜５０℃、１０〜１５℃および０〜１０℃の動作温度域を定めたとする。この場合の３つの動作温度域におけるＶｄの変化の例を図１０に示す。なお、図１０では、便宜上Ｖｄの変化を連続する曲線で示しているが、動作温度域の境界温度１０℃および１５℃でＶｄは不連続に変化する。また、１℃毎に定めたＶｄと、選択期間の値の例を図１１に示す。ただし、Ｖｄは、上限値と下限値の平均値として定めている。
【００７４】
このように液晶パネルの種類によって、Ｖｄは異なるので、記憶装置４０に記憶させるデータは、液晶パネルに応じて定めておく。
【００７５】
記憶装置４０は、温度に応じたＶｄから定められたＶｃ，Ｖｒを記憶し、また、動作温度域に対応した選択期間を記憶する。そして、制御部１１は、温度センサ８１から通知される温度に応じた選択期間、ＶｃおよびＶｒを記憶装置４０から読み込み、その読み込んだ値で液晶パネル１００を制御する。従って、図３に例示した駆動波形における選択期間やＶｃ，Ｖｒは、温度に応じて変化する。
【００７６】
なお、ここでは記憶装置４０が、温度に応じたＶｃおよびＶｒを記憶する場合を例に説明したが、温度に応じたＶｄを記憶してもよい。そして、制御装置１１が記憶装置４０からＶｄを読み込み、そのＶｄに応じた電圧レベル指示信号を電源装置１４に出力してもよい。このとき、電源装置１４は、Ｖｒ／Ｖｃが常に一定になるようにＶｒ，Ｖｃを各ドライバに供給する。例えば、電源装置１４は、Ｖｒ／Ｖｃ＝８となるようにＶｒ，Ｖｃを供給する。そして、電源装置１４は、制御装置１１からの電圧レベル指示信号に応じて特定されるＶｄに応じて、Ｖｄ＝Ｖｒ＋ＶｃおよびＶｒ／Ｖｃ＝８という関係を満足するＶｒ、Ｖｃを、行ドライバ１２、列ドライバ１３に供給する。なお、このように供給されるＶｒ、Ｖｃは、Ｖｒ−Ｖｃ＝ＶＦ、Ｖｃ＜ＶＳという条件を満足する。
【００７７】
本発明によれば、動作温度域と選択期間とを対応付け、より低い温度の動作温度域になるほど、選択期間を長く定める。従って、所定の表示品位を実現するための電圧Ｖｄ（＝Ｖｒ＋Ｖｃ）の上昇を抑えることができる。従って、電源装置から供給できる電圧（昇圧後の電圧）の上限値より低い電圧で液晶パネルを駆動することができる。
【００７８】
また、常温域を含む動作温度域（例えば、１５〜５０℃の動作温度域）では、低温域（例えば、０〜１０℃の動作温度域）よりも短い選択期間が定められる。従って、低温域における選択期間を常温においても適用する場合に比べ、消費電流量の増加を抑えることができる。
【００７９】
さらに、ＶｄをＡ−Ｂ（Ｖ）からＡ＋Ｂ（Ｖ）の範囲内の値としているので、Ｖｄが上限値や下限値に近接した値になることはない。従って、液晶パネル１００の周囲の温度が変化した場合、温度センサ８１による温度変化の検知誤差や、温度変化の検知の多少の遅れが生じたとしても、Ｖｄが温度変化後における下限値より小さくなってしまったり、上限値より大きくなってしまうことを防止できる。
【００８０】
また、ここでは、選択期間を定めてから、電源装置から供給できる電圧を考慮して動作温度域を定める場合を示したが、先に動作温度域を定めてから、その動作温度域における選択期間を定めてもよい。この場合、定めた動作温度域において、所定の表示品位を実現することができるＶｄの下限値および上限値が、電源装置から供給できる電圧を越えないような選択期間を定めればよい。
【００８１】
上記の例では、複数の動作温度域をあらかじめ想定し、それぞれの動作温度域において、電圧選択パルスの選択期間を定める等により、選択期間と動作温度域とを対応させた。そして、所定の範囲の駆動電圧レンジ条件のなかで、ほぼ一定の見ばえの表示をできるように構成した。言い換えると、選択期間を半固定とし、駆動電圧を調整することで表示特性を調整する手法である。
【００８２】
これに対して、選択期間をアナログ的に可変できるように構成し、周囲温度に応じて、あらかじめ定めた選択期間で駆動できるようにすることができる。この場合、駆動電圧をほぼ一定とし、選択期間を１次の調整要素として表示特性をあわせこむことができる。
【００８３】
選択期間は、フレームレートで決まるので、もっぱらフレーム発生回路（制御装置１１）を温度によって制御することで、温度に応じた選択期間を発生させることができる。
【００８４】
図２では、一つの液晶パネル１００を示したが、積層された二つの液晶パネルを駆動してもよい。この場合、積層された各液晶パネル毎に行ドライバおよび列ドライバを設ける。また、記憶装置４０は、温度に応じたデータ（選択期間、Ｖｃ、Ｖｒ等）を個々の液晶パネル毎に記憶する。そして、制御装置１１は、温度センサ８１から通知された温度に対応する選択期間などのデータを、個々の液晶パネル毎に読み込んで、各液晶パネル毎に個別に制御する。また、制御装置１１は、電源装置１４に対して、各液晶パネルの電圧レベル指示信号を出力する。電源装置１４は、第一層の液晶パネルに対応する電圧レベル指示信号に基づいて、第一層の液晶パネルの各ドライバに電圧を供給する。また、第二層の液晶パネルに対応する電圧レベル指示信号に基づいて、第二層の液晶パネルの各ドライバに電圧を供給する。電源装置１４は、各層のドライバ（行ドライバ、列ドライバ）に対して、個別に電圧を供給する。
【００８５】
図１２は、積層された二つの液晶パネルを示す説明図である。二つの液晶パネル７１，７２には、選択反射波長が異なるカイラルネマチック液晶が封止されている。選択反射波長が短い方のカイラルネマチック液晶が封止された第一の液晶パネル７１は、観察者７３側に配置される。そして、選択反射波長が長い方のカイラルネマチック液晶が封止された第二の液晶パネル７２は、第一の液晶パネル７１の下層（観察者７３から遠ざかる層）に配置される。光吸収体５は、下層側に位置する第二の液晶パネル７２の背面に設けられる。
【００８６】
第一の液晶パネル７１内に封止された液晶がプレーナ状態で呈する色と、第二の液晶パネル７２内に封止された液晶がプレーナ状態で呈する色とは、補色関係にある。図１３は、二色の補色関係の例を示す説明図である。図１３に示す座標は、Ｃ．Ｉ．Ｅ．１９３１色度座標であり、「Ｃ  ｌｉｇｈｔ  ｓｏｕｒｃｅ」は、Ｃ光源（白色の基準となる光源）の座標である。二つの選択反射色の色度座標がＣ光源の座標を中心に互いに反対側に位置し、Ｃ光源の座標からの等距離にあれば、その二つの選択反射色は補色関係にある。例えば、図１３に例示するように、波長６００ｎｍの橙色と、波長４８０ｎｍの青色とは補色関係にある。また、波長６２０ｎｍの橙色と、波長４９０ｎｍの青色とは補色関係にある。同様に、波長５７０ｎｍの橙色と、波長４４０ｎｍの青色とは補色関係にある。
【００８７】
第一の液晶パネル７１および第二の液晶パネル７２内の液晶をいずれもプレーナ状態に変化させれば、各層が呈する色の間で補色関係が成立し、白色を呈することができる。
【００８８】
図１４は、白色を呈する色度座標空間を示す説明図である。一般的に定義される白表示とは、上記Ｃ．Ｉ．Ｅ．１９３１色度座標上における４点（０．２９，０．２９），（０．３５，０．２９），（０．２９，０．４４），（０．３５，０．４４）を結ぶ色度座標空間（図１４に示す点線枠内）に含まれる色純度である。二種類の液晶の選択反射波長の組み合わせを、（５３０ｎｍ、６３５ｎｍ）とした場合、（５２０ｎｍ、６３５ｎｍ）とした場合、および（５０５ｎｍ、６５０ｎｍ）とした場合、いずれも白色を呈することができる。
【００８９】
次に、本発明の駆動方法により駆動される液晶表示装置の使用例について説明する。本発明の駆動方法により駆動される液晶表示装置は、電子棚札として用いることができる。例えば、図１５に示すように価格等を液晶表示装置に表示させることにより、液晶表示装置を棚札として用いることができる。メモリ性液晶を用いているので、表示の書換頻度にもよるが、基本的に低消費電力である。周辺回路を含めても、コイン電池１〜１２個、好ましくは１〜６個で駆動できる。電源として商用電源の他、一次電池、二次電池を使用することができる。電池は大きさが小さく、公称容量が大きく、標準電流が大きいものであれば特に限定されないが、円筒状、直方体形状、コイン型など様々な形状のものを用途や設置場所に合わせて選択することができる。電池の種類としてはマンガン電池、アルカリ電池、リチウム電池、リチウムイオン電池、酸化銀電池、空気亜鉛電池、ニッケル水素電池、ニッカド電池など挙げることができ、駆動回路の入力電圧および消費電流を考慮して複数個を並列または・および直列に接続して用いることができる。
【００９０】
また、商品棚に取り付ける使用態様に限らず、ＰＯＰ（Ｐｏｉｎｔ  ｏｆ  Ｐｕｒｃｈａｓｅ）広告を表示する液晶表示装置を本発明の駆動方法で駆動してもよい。図１６は、ＰＯＰ広告の表示例を示す。広告の内容は、商品の広告であっても、サービスの広告であってもよい。さらに、個人のスケジュール表を表示する表示装置に本発明の駆動方法を適用してもよい。
【００９１】
また、カイラルネマチック液晶を用いた公衆表示用液晶表示装置に本発明の駆動方法を適用してもよい。公衆表示用液晶表示装置は、公共の場で公衆に情報を提供する液晶表示装置である。公衆表示用液晶表示装置は、例えば、道案内表示、位置表示、時刻表示、天気表示、ニュース表示、あるいは企業広告等に利用される。公衆表示用液晶表示装置による表示の具体例を図１７から図２０に例示する。
【００９２】
本実施の形態において、Ｖｒは選択電圧に相当する。Ｖｃは信号電圧に相当する。
【００９３】
【発明の効果】
本発明によれば、動作温度域を少なくとも２以上設け、それぞれの動作温度域のなかで、電圧選択パルスの選択期間と、カイラルネマチック液晶をプレーナ状態にするための電圧とを定め、低温側の動作温度域の電圧選択パルスの選択期間を、高温側の動作温度域の電圧選択パルスの選択期間よりも長くする。従って、低温になっても、カイラルネマチック液晶をプレーナ状態にするための電圧の上昇を抑えることができ、電源装置から供給できる電圧の上限値より低い電圧で液晶パネルを駆動することができる。この結果、低温時でも表示品位を保てる。
また、常温における選択期間は低温時における選択期間よりも短くなるので、通常時に、消費電流量の増加を抑えることができる。
【図面の簡単な説明】
【図１】メモリ性液晶を用いた液晶パネルの概略構成を示す断面図。
【図２】液晶パネルを駆動する駆動装置の構成例を示すブロック図。
【図３】表示書換時の駆動波形の例を示す説明図。
【図４】表示書換時の画面変化の例を示す説明図。
【図５】選択期間１０ｍｓでのＶｄの上限値と下限値の例を示す説明図。
【図６】選択期間２０ｍｓでのＶｄの上限値と下限値の例を示す説明図。
【図７】選択期間５０ｍｓでのＶｄの上限値と下限値の例を示す説明図。
【図８】各動作温度域におけるＶｄの変化の例を示す説明図。
【図９】温度に応じたＶｄおよび選択期間の具体例を示す説明図。
【図１０】各動作温度域におけるＶｄの変化の例を示す説明図。
【図１１】温度に応じたＶｄおよび選択期間の具体例を示す説明図。
【図１２】積層された二つの液晶パネルを示す説明図。
【図１３】補色関係の例を示す説明図。
【図１４】白色を呈する色度座標空間を示す説明図。
【図１５】本発明が適用される液晶表示装置による表示の具体例を示す説明図。
【図１６】本発明が適用される液晶表示装置による表示の具体例を示す説明図。
【図１７】本発明が適用される液晶表示装置による表示の具体例を示す説明図。
【図１８】本発明が適用される液晶表示装置による表示の具体例を示す説明図。
【図１９】本発明が適用される液晶表示装置による表示の具体例を示す説明図。
【図２０】本発明が適用される液晶表示装置による表示の具体例を示す説明図。
【図２１】液晶ドメインの配列状態を示す説明図。
【図２２】Ｃ．Ｉ．Ｅ．１９３１色度座標の例を示す説明図。
【符号の説明】
１１  制御装置
１２  行ドライバ
１３  列ドライバ
４０  記憶装置
８１  温度センサ
１００  液晶パネル
【図１】
2004309732.tif 000003
【図２】
2004309732.tif 000004
【図３】
2004309732.tif 000005
【図４】
2004309732.tif 000006
【図５】
2004309732.tif 000007
【図６】
2004309732.tif 000008
【図７】
2004309732.tif 000009
【図８】
2004309732.tif 000010
【図９】
2004309732.tif 000011
【図１０】
2004309732.tif 000012
【図１１】
2004309732.tif 000013
【図１２】
2004309732.tif 000014
【図１３】
2004309732.tif 000015
【図１４】
2004309732.tif 000016
【図１５】
2004309732.tif 000017
【図１６】
2004309732.tif 000018
【図１７】
2004309732.tif 000019
【図１８】
2004309732.tif 000020
【図１９】
2004309732.tif 000021
【図２０】
2004309732.tif 000022
【図２１】
2004309732.tif 000023
【図２２】
2004309732.tif 000024